(57)【要約】【課題】送風機の風を吹き出す吹出口（3）が形成された空調機の室外ユニット（1）において、ケーシング（2）の外側から逆風を受けても、送風機に電気的に接続された電気部品が破損するのを防ぐ。【解決手段】複数の桟（17）を有する前面グリル（1１）と、吹出口（3）から見て前面グリル（1１）の桟（17）と同一形状の閉鎖板（20）を有するとともに、吹出口（3）から見て複数の閉鎖板（20）が前面グリル（1１）の複数の通風口（18）の開口内に位置する閉鎖位置と吹出口（3）から見て複数の閉鎖板（20）が前面グリル（1１）の桟（17）と重なる開放位置との間で回転可能に配置された回転シャッター（12）とを有する回転シャッター式吹出グリル（10）を吹出口（3）に取り付ける。【選択図】図３
2010085021.tif 000002
【特許請求の範囲】
【請求項１】
内部に収容された送風機からの風を吹き出す吹出口（3）が形成されたケーシング（2）を備えた空調機の室外ユニットであって、
上記吹出口（3）に固定されるとともに間隔を空けて並べられた複数の桟（17）を有するグリル状の固定部材（11）と、
上記吹出口（3）から見て上記固定部材（11）の桟（17）と略同一形状の複数の閉鎖部材（20）を有するとともに上記吹出口（3）から見て上記複数の閉鎖部材（20）が上記固定部材（11）の桟（17）と桟（17）の間に形成された複数の通風口（18）の開口内に位置する閉鎖位置と上記吹出口（3）から見て上記複数の閉鎖部材（20）が上記固定部材（11）の桟（17）と重なる開放位置との間で移動可能に配置されたシャッター部材（12）とを備えていることを特徴とする空調機の室外ユニット。
【請求項２】
請求項１において、
上記シャッター部材（12）は複数設けられ、
上記吹出口（3）から見て上記閉鎖位置における各シャッター部材（12）の閉鎖部材（20）同士が互いに異なる位置に配置されていることを特徴とする空調機の室外ユニット。
【請求項３】
請求項１又は２において、
上記固定部材（11）の中央部には、その中央部を中心として上記閉鎖位置と上記開放位置との間で上記シャッター部材（12）を回転自在に支持する軸部（22）が設けられていることを特徴とする空調機の室外ユニット。
【請求項４】
請求項１から３の何れか１つにおいて、
上記シャッター部材（12）の閉鎖部材（20）には、上記吹出口（3）から見て該閉鎖部材（20）の表面から該閉鎖部材（20）の側方へ延びる羽根状の突起部（23）が取り付けられていることを特徴とする空調機の室外ユニット。
【請求項５】
請求項４において、
上記シャッター部材（12）の移動面と上記吹出口（3）の開口面とが平行となるように該シャッター部材（12）の動きが規制される一方、
上記ケーシング（2）の外側から上記突起部（23）を見た場合に、上記突起部（23）の前面と上記吹出口（3）の開口面とのなす角θ１と、該突起部（23）の背面と上記吹出口（3）の開口面とのなす角θ２とが、
ｓｉｎ（２×θ１）＜ｓｉｎ（２×θ２）
を満たすように上記突起部（23）が形成されていることを特徴とする空調機の室外ユニット。
【発明の詳細な説明】
【技術分野】
【０００１】
本発明は、空調機の室外ユニットに関し、特に室外ユニットのケーシング内に流入する逆風の抑制対策に関するものである。
【背景技術】
【０００２】
従来より、室内ユニットとともにセパレートタイプの空気調和装置を構成する室外ユニットが知られている（例えば、特許文献１参照）。
【０００３】
この室外ユニットのケーシングは、前面側に空気の吹出口が形成され、背面側に空気の吸込口が形成されている。又、このケーシングの内部には、上記吹出口の近傍に送風機が配置され、上記吸込口の近傍に室外熱交換器が配置されている。そして、上記送風機が駆動すると、上記吸込口を通じて該ケーシングの外側にある空気がケーシング内に吸い込まれる。この吸い込まれた空気は上記室外熱交換器に流入し、該室外熱交換器の伝熱管内を流れる冷媒と熱交換した後で上記ケーシングの吹出口から吹き出される。
【特許文献１】特開２００８−０９６０１８号公報
【発明の開示】
【発明が解決しようとする課題】
【０００４】
ところで、上記送風機の駆動機構として直流ファンモータが用いられることがある。この直流ファンモータにより、上記送風機の消費電力を低減することができる。しかしながら、場合によっては、この直流ファンモータが上記室外ユニットの電気部品を破損してしまう場合がある。
【０００５】
つまり、上記吹出口を通じて上記ケーシングの外側から内側へ吹き込む風（以下、逆風という。）により、上記送風機のプロペラファンが逆回転することがある。上記プロペラファンが逆回転すると直流ファンモータが発電機となり、この逆回転により発生した誘起電圧が、該直流ファンモータや上記送風機に電気的に接続された制御基板等の電気部品に対して作用する。そして、この逆風が強いと、逆回転しているプロペラファンの回転数が高くなり、発生する誘起電圧も高くなる。この誘起電圧が電気部品の許容電圧以上になると、上記電気部品又はモータ自身を破損してしまうことが考えられる。
【０００６】
通常の直流ファンモータは、この誘起電圧を下げることが可能な構造になっており、プロペラファンが多少逆回転してもよいように構成されている。しかし、上記直流ファンモータにおいて、上記逆風が強い場合を想定し、この誘起電圧を下げ過ぎるような構造にすると、通常運転時における直流ファンモータのモータ効率が低下してしまう。
【０００７】
本発明は、かかる点に鑑みてなされたものであり、その目的は、送風機の風を吹き出す吹出口が形成された空調機の室外ユニットにおいて、ケーシングの外側から逆風を受けた場合でも、上記室外ユニット内の電気部品を破損しないようにすることである。
【課題を解決するための手段】
【０００８】
第１の発明は、内部に収容された送風機からの風を吹き出す吹出口（3）が形成されたケーシング（2）を備えた空調機の室外ユニットを前提としている。
【０００９】
そして、上記空調機の室外ユニットにおける吹出口（3）に固定されるとともに間隔を空けて並べられた複数の桟（17）を有するグリル状の固定部材（11）と、上記吹出口（3）から見て上記固定部材（11）の桟（17）と略同一形状の複数の閉鎖部材（20）を有するとともに上記吹出口（3）から見て上記複数の閉鎖部材（20）が上記固定部材（11）の桟（17）と桟（17）の間に形成された複数の通風口（18）の開口内に位置する閉鎖位置と上記吹出口（3）から見て上記複数の閉鎖部材（20）が上記固定部材（11）の桟（17）と重なる開放位置との間で移動可能に配置されたシャッター部材（12）とを備えていることを特徴としている。
【００１０】
第１の発明では、上記固定部材（11）の通風口（18）を上記シャッター部材（12）の閉鎖部材（20）で開いたり、閉じたりすることができる。上記通風口（18）を開く場合には、上記シャッター部材（12）を上記開放位置側へ移動させる。すると、上記閉鎖部材（20）が上記固定部材（11）の桟（17）と重なり合う部分が増えて、上記固定部材（11）の通風口（18）が開かれる。上記シャッター部材（12）を上記開放位置まで移動させると、上記閉鎖部材（20）と上記桟（17）とが重なり合って、上記通風口（18）が全開になる。
【００１１】
一方、上記通風口（18）を閉じる場合には、上記シャッター部材（12）を上記開放位置から上記閉鎖位置側へ移動させる。すると、上記吹出口（3）から見て重なり合っていた上記閉鎖部材（20）と上記桟（17）のうち、上記閉鎖部材（20）が上記桟（17）の側方から露出する部分が次第に多くなる。この露出部分が多くなるほど、上記通風口（18）を通過しようとする風を遮る面積が多くなる。そして、上記閉鎖部材（20）を上記閉鎖位置まで移動させると、上記閉鎖部材（20）の全体が露出し、該閉鎖部材（20）の全体で上記通風口（18）を通過しようとする風を遮ることができる。
【００１２】
このように、上記開放位置から上記閉鎖位置の間で上記シャッター部材（12）を移動させることにより、上記通風口（18）を通過する風を遮る面積を変化させて、上記吹出口（3）を通じて上記送風機へ向かう空気の風量を調整することができる。
【００１３】
第２の発明は、第１の発明において、上記シャッター部材（12）は複数設けられ、上記吹出口（3）から見て上記閉鎖位置における各シャッター部材（12）の閉鎖部材（20）同士が互いに異なる位置に配置されていることを特徴としている。
【００１４】
第２の発明では、上記固定部材（11）の通風口（18）を通過する風を複数のシャッター部材（12）の閉鎖部材（20）で遮ることにより、上記固定部材（11）の通風口（18）を通過する風を遮る面積を増やすことができる。
【００１５】
ここで、上記閉鎖位置における各シャッター部材（12）は、その閉鎖部材（20）同士が互いに異なる位置に配置されている。つまり、上記吹出口（3）から見て上記閉鎖部材（20）同士が互いに重なり合わないように配置できる。これにより、各シャッター部材（12）の閉鎖部材（20）が他のシャッター部材（12）の閉鎖部材（20）に邪魔されることなく、上記固定部材（11）の通風口（18）を通過する風を遮ることができる。
【００１６】
第３の発明は、第１又は第２の発明において、上記固定部材（11）の中央部には、その中央部を中心として上記閉鎖位置と上記開放位置との間で上記シャッター部材（12）を回転自在に支持する軸部（22）が設けられていることを特徴としている。
【００１７】
第３の発明では、上記軸部（22）を中心として上記シャッター部材（12）を上記閉鎖位置と上記開放位置との間で回転させることにより、上記通風口（18）を通過する風を遮る面積を変化させて、上記吹出口（3）を通過する空気の風量を調整することができる。
【００１８】
第４の発明は、第１から第３の何れか１つの発明において、上記シャッター部材（12）の閉鎖部材（20）には、上記吹出口（3）から見て該閉鎖部材（20）の表面から該閉鎖部材（20）の側方へ延びる羽根状の突起部（23）が取り付けられていることを特徴としている。
【００１９】
ここで、この突起部（23）は、上記閉鎖部材（20）の表面から該閉鎖部材（20）の側方へ延びているので、上記シャッター部材（12）が開放位置にあっても、該突起部（23）は上記固定部材（11）の桟（17）の側方から通風口（18）側へ露出している。
【００２０】
第４の発明では、この羽根状の突起部（23）に上記固定部材（11）の通風口（18）を通過する風を当てることにより、この風の風力で上記シャッター部材（12）を開閉させることができる。尚、この羽根状の突起部（23）は、上記逆風が上記突起部（23）の前面に当たると上記シャッター部材（12）が閉じ、ケーシング（2）の内側から上記送風機の風が上記突起部（23）の背面に当たると上記シャッター部材（12）が開く向きに取り付けられている。
【００２１】
第５の発明は、第４の発明において、上記シャッター部材（12）の移動面が上記吹出口（3）の開口面と平行となるように該シャッター部材（12）の動きが規制される一方、上記ケーシング（2）の外側から上記突起部（23）を見た場合に、上記突起部（23）の前面と上記吹出口（3）の開口面とのなす角θ１と該突起部（23）の背面と上記吹出口（3）の開口面とのなす角θ２とが、ｓｉｎ（２×θ１）＜ｓｉｎ（２×θ２）（式１）を満たすように上記突起部（23）が形成されていることを特徴としている。
【００２２】
第５の発明では、上記突起部（23）の形状を、式１を満たすような形状にすることにより、上記送風機の風と同じかそれよりも強い逆風が吹いている場合であっても、式１を満たす範囲内で上記シャッター部材（12）を開かせることができる。
【００２３】
つまり、上述した逆風が上記突起部（23）の前面に当たった場合に上記シャッター部材（12）を閉じる方向に働く力Ｆａ（図５）は、その逆風の風力Ｆ１にｓｉｎ（２×θ１）を乗じた値となる。一方、上記送風機の風が上記突起部（23）の背面に当たった場合に上記シャッター部材（12）を開く方向に働く力Ｆｂ（図５）は、上記送風機の風の風力Ｆ２にｓｉｎ（２×θ２）を乗じた値となる。このことから、式１により、上記逆風及び上記送風機が同じ風量の場合には、上記シャッター部材（12）を開く方向に働く力Ｆｂの方が閉じる方向に働く力Ｆａよりも強くなり、上記シャッター部材（12）が開く。
【００２４】
又、上記送風機の風よりも強い逆風が吹いた場合であっても、それらの風力の比（Ｆ１／Ｆ２）がｓｉｎ（２×θ２）／ｓｉｎ（２×θ１）より小さければ、上記シャッター部材（12）を開く方向に働く力Ｆｂの方が閉じる方向に働く力Ｆａよりも強くなり、上記シャッター部材（12）が開く。
【発明の効果】
【００２５】
本発明によれば、上記開放位置から上記閉鎖位置の間で上記シャッター部材（12）を開閉させることにより、該シャッター部材（12）の閉鎖部材（20）で上記固定部材（11）の通風口（18）を通過する風を遮る面積を変化させることができる。これにより、上記吹出口（3）を通過する空気の風量を調整することができる。
【００２６】
このことから、上記通風口（18）を通じて上記吹出口（3）から逆風が吹き込もうとする場合には、上記シャッター部材（12）を閉鎖位置側へ移動させる。そうすると、ケーシング（2）内に侵入する逆風の風量が減少して、上記送風機のファンモータの逆回転を抑えることができる。
【００２７】
これにより、上記送風機において、ケーシング（2）の外側から逆風を受けた場合でも、上記シャッター部材（12）で上記送風機に向かって流れる逆風を遮ることにより、上記室外ユニット内における電気部品の破損を防ぐことができる。
【００２８】
また、第２の発明によれば、上記吹出口（3）から見て上記固定部材（11）の通風口（18）の開口面積に対して上記シャッター部材（12）の閉鎖部材（20）の面積が小さすぎる場合には、上記シャッター部材（12）を複数設けることにより、上記固定部材（11）の通風口（18）を通過する風を遮る面積を増やすことができる。これにより、上記固定部材（11）の通風口（18）を通過する風を遮りやすくすることができる。
【００２９】
また、第３の発明によれば、上記通風口（18）を通じて上記吹出口（3）から逆風が吹き込もうとする場合には、上記軸部（22）を中心として上記シャッター部材（12）を閉鎖位置まで回転させる。そうすると、その逆風の風量が減少するので、上記送風機のファンの逆回転を抑えることができ、上記室外ユニット内における電気部品の破損を防ぐことができる。
【００３０】
また、第４の発明によれば、この羽根状の突起部（23）に上記固定部材（11）の通風口（18）を通過する風を当てることにより、この風の力で上記シャッター部材（12）を開閉させることができる。このように、上記閉鎖部材（20）に上記突起部（23）を形成するだけで上記シャッター部材（12）を開閉させることができる。
【００３１】
また、第５の発明によれば、上記突起部（23）において、上記突起部（23）の前面と上記吹出口（3）の開口面とのなす角θ１と、上該突起部（23）の背面と上記吹出口（3）の開口面とのなす角θ２とを異なるような形状にすることにより、上記送風機の風と同じかそれよりも強い逆風が吹いている場合であっても、上記式１を満たす範囲内で上記シャッター部材（12）を開くことができる。
【発明を実施するための最良の形態】
【００３２】
以下、本発明の実施形態を図面に基づいて詳細に説明する。
【００３３】
本実施形態における室外ユニット（1）は、空調機の一部を構成するものであり、屋外に設置されている。上記室外ユニット（1）は、図１に示すケーシング（2）を有している。上記ケーシング（2）の前面側には上下方向に２つの吹出口（3）が形成されている。図示していないが、上記ケーシング（2）の背面側には吸込口が形成されている。このケーシング（2）内には、該ケーシング（2）の前面側に送風機（図示なし）が配置され、該ケーシング（2）の背面側に室外熱交換器（図示なし）が配置されている。そして、上記各吹出口（3）には、該吹出口（3）を覆うように本発明の特徴である回転シャッター式吹出グリル（10）が、該吹出口（3）の開口方向に対して略垂直に取り付けられている。図２及び図３は、上記回転シャッター式吹出グリル（10）の正面図を示し、図４は縦断面図を示している。ここで、図２は後述するプロペラ状の回転シャッター（12）が開いた状態の正面図であり、図３は上記回転シャッター（12）が閉じた状態の正面図である。
【００３４】
図２から図４に示すように、上記回転シャッター式吹出グリル（10）は、前面グリル（固定部材）（11）と複数のプロペラ状の回転シャッター（シャッター部材）（12）とを備えている。
【００３５】
上記前面グリル（11）は、図２に示すように、略正方形状に形成された本体部（13）を備えている。この本体部（13）には、円形状の開口部（14）が形成されており、この開口部（14）内にグリル部（15）が嵌め込まれて上記本体部（13）と上記グリル部（15）とが一体に形成されている。上記グリル部（15）は、円板（16）と該円板（16）の周縁から径方向外方に向かって放射状に直線的に延びる複数の桟（17）とが一体に形成されたものである。上記各桟（17）は上記開口部（14）の周方向に等間隔に配列されている。そして、隣り合う各桟（17）と各桟（17）との間の開口部分が上記前面グリル（11）の通風口（18）を構成する。
【００３６】
又、上記グリル部（15）の円板（16）の背面側には、図４に示すように、上記複数の回転シャッター（12）を回転自在に支持する固定軸（軸部）（22）が円板（16）に対して略垂直に取り付けられている。尚、複数の回転シャッター（12）は前面グリル（11）に対して略平行に支持されるとともに、該各回転シャッター（12）は上記固定軸（22）に対して垂直に回転する。つまり、上記各回転シャッター（12）の回転面（移動面）は、上記吹出口（3）の開口面と平行である。
【００３７】
又、この円板（16）の背面にはこの固定軸（22）を囲むように円筒状の突起部（27）が一体形成されている。この円筒状の突起部（27）の内面には、該突起部（27）の径方向内方へ突出する２枚の規制板（25）が設けられている。この規制板（25）は、上記前面グリル（11）の背面側にある回転シャッター（12）の回転を開放位置から閉鎖位置までの間に規制するためのものであり、一方の規制板（25）が上記回転シャッター（12）を開放位置で規制し、他方の規制板（25）が上記回転シャッター（12）を閉鎖位置で規制する。
【００３８】
ここで、上記開放位置とは、図２に示す平面視で上記回転シャッター（12）に設けられた閉鎖板（閉鎖部材）（20）が上記前面グリル（11）の桟（17）と重なり合う位置であり、上記閉鎖位置とは、図３に示す平面視で上記回転シャッター（12）の閉鎖板（20）が上記前面グリル（11）の通風口（18）の開口内にある位置である。
【００３９】
上記回転シャッター（12）は、図６に示すように、ボス部（19）と上述した複数の閉鎖板（20）とを備えている。上記ボス部（19）は円筒状に形成され、その中空部には軸受（21）が嵌合されている。この軸受（21）が上記前面グリル（11）の固定軸（22）に挿入されて、該固定軸（22）が上記各回転シャッター（12）を回転自在に支持している。
【００４０】
又、上記回転シャッター（12）のボス部（19）には、その前面側に２枚の規制板（24）が、背面側に２枚の規制板（26）がそれぞれ設けられている。ここで、上記前面グリル（11）の背面側に隣り合う回転シャッター（12）において、その前面側の規制板（24）が上記前面グリル（11）の背面側の規制板（25）と当接することにより、上記回転シャッター（12）の回転が規制される。
【００４１】
又、この回転シャッター（12）の上記背面側の規制板（24）が、該回転シャッター（12）の後側にあるもう一つの回転シャッター（12）の前面側の規制板（24）と当接することにより、もう一つの回転シャッター（12）の回転を規制する。このとき、これら２つの回転シャッター（12）の閉鎖位置は互いに異なるようになっている。
【００４２】
上記各閉鎖板（20）は矩形状の薄板に形成され、図３に示す平面視で、この閉鎖板（20）の形状は、後述する風受板（23）を除いて、上記前面グリル（11）の桟（17）の形状と同一である。又、上記各閉鎖板（20）は、上記ボス部（19）の周方向に互いに等間隔となるように、該ボス部（19）の外周面に取り付けられている。
【００４３】
上記各閉鎖板（20）には羽根状の風受板（突起部）（23）が設けられている。この風受板（23）は、上記前面グリル（11）の通風口（18）を通過する風を受け、その受けた風の力で上記回転シャッター（12）を回転させるためのものである。
【００４４】
この風受板（23）は、図３に示す平面視で上記閉鎖板（20）の表面から該閉鎖板（20）の側方へ延びるように形成されている。又、図５に示すように、上記風受板（23）を上記ケーシング（2）の外側から見た場合に、上記風受板（23）の前面と上記吹出口（3）の開口面とのなす角θ１と、上記風受板（23）の背面と上記吹出口（3）の開口面とのなす角θ２との関係は、下記の式１のように定義される。
【００４５】
ｓｉｎ（２×θ１）＜ｓｉｎ（２×θ２）…    式１
−運転動作−
上記回転シャッター式吹出グリル（10）の開閉動作について説明する。
【００４６】
図５に示すように、上記ケーシング（2）内の送風機が駆動すると、その送風機からの風が上記各回転シャッター（12）の風受板（23）の背面側に当たる。すると、その風の風力で、各回転シャッター（12）が上記前面グリル（11）の固定軸（22）を中心に上記開放位置まで回転する（図２）。この開放位置において、上記ケーシング（2）の外側から見て、上記回転シャッター（12）の閉鎖板（20）は、上記前面グリル（11）の桟（17）の裏側に隠れている。これにより、上記前面グリル（11）の通風口（18）を開くことができる。
【００４７】
一方、台風等により上述した逆風が吹くと、その逆風が上記各回転シャッター（12）の風受板（23）の前面側に当たる。すると、その逆風の風力で、各回転シャッター（12）が上記前面グリル（11）の固定軸（22）を中心に上記閉鎖位置まで回転する（図３）。この開放位置において、上記ケーシング（2）の外側から見て、上記回転シャッター（12）の閉鎖板（20）は、上記前面グリル（11）の桟（17）の外側に露出している。これにより、上記前面グリル（11）の通風口（18）を閉じて、該通風口（18）を通過しようとする風を上記閉鎖板（20）で遮ることができる。
【００４８】
尚、上記ケーシング（2）の外側から吹き込む逆風が上記風受板（23）の前面に当たった場合に上記回転シャッター（12）を閉じる方向に働く力Ｆａは、その逆風の風力Ｆ１にｓｉｎ（２×θ１）を乗じた値となる。一方、上記送風機の風が上記風受板（23）の背面に当たった場合に上記回転シャッター（12）を開く方向に働く力Ｆｂは、上記送風機の風の風力Ｆ２にｓｉｎ（２×θ２）を乗じた値となる。このことから、上式より、上記逆風及び上記送風機が同じ風量の場合には、上記回転シャッター（12）を開く方向に働く力Ｆｂの方が閉じる方向に働く力Ｆａよりも強くなり、上記回転シャッター（12）が開く。
【００４９】
又、上記送風機の風よりも強い逆風が吹いた場合であっても、それらの風力の比（Ｆ１／Ｆ２）がｓｉｎ（２×θ２）／ｓｉｎ（２×θ１）より小さければ、上記回転シャッター（12）を開く方向に働く力Ｆｂの方が閉じる方向に働く力Ｆａよりも強くなり、上記回転シャッター（12）が開く。
【００５０】
−実施形態の効果−
本実施形態によれば、上記開放位置から上記閉鎖位置の間で上記回転シャッター（12）を開閉させることにより、該回転シャッター（12）の閉鎖板（20）で上記前面グリル（11）の通風口（18）を通過する風を遮る面積を変化させることができる。これにより、上記吹出口（3）を通過する空気の風量を調整することができる。
【００５１】
このことから、上記通風口（18）を通じて上記吹出口（3）から逆風が吹き込もうとする場合には、上記回転シャッター（12）を閉鎖位置まで閉じる。そうすると、ケーシング（2）内に侵入する逆風の風量が減少して、上記送風機のファンモータの逆回転を抑えることができる。
【００５２】
これにより、上記送風機において、ケーシング（2）の外側から逆風を受けた場合でも、上記回転シャッター（12）で上記送風機に向かって流れる逆風を遮ることにより、上記室外ユニット（1）内における電気部品の破損を防ぐことができる。
【００５３】
又、上記回転シャッター（12）が開放位置にあるとき、上記ケーシング（2）の外側からみて上記前面グリル（11）の裏側に該回転シャッター（12）が隠れるので、該回転シャッター（12）が目立たないようにできる。
【００５４】
又、本実施形態によれば、上記回転シャッター（12）を複数設けることにより、上記前面グリル（11）の通風口（18）を通過する風を遮る面積を増やすことができる。
【００５５】
又、本実施形態によれば、上記前面グリル（11）の通風口（18）を通過する風を上記風受板（23）に当てることにより、この風の力で上記回転シャッター（12）を開閉させることができる。このように、上記閉鎖板（20）に上記風受板（23）を取り付けるだけの簡単な構成で上記回転シャッター（12）を開閉させることができる。
【００５６】
又、本実施形態によれば、上記風受板（23）において、上記風受板（23）の前面と上記吹出口（3）の開口面とのなす角θ１と、上該風受板（23）の背面と上記吹出口（3）の開口面とのなす角θ２とを異なるような形状にすることにより、上記送風機の風と同じかそれよりも強い逆風が吹いている場合であっても、上記回転シャッター（12）を、上記式１を満たす範囲内で開くことができる。
【００５７】
《その他の実施形態》
上記実施形態については、以下のような構成としてもよい。
【００５８】
本実施形態では、上記前面グリル（1１）の通風口（18）を通過する風を利用して上記回転シャッター（12）を回転させているが、これに限定されず、電気モータ等で上記回転シャッター（12）を回転させてもよい。この場合、上記室外ユニット（1）に風速センサを設けて、所定値以上の逆風が吹いたときに、上記回転シャッター（12）を閉じるようにするとよい。
【００５９】
本実施形態では、上記回転シャッター（12）が２つ設けられているが、その数は限定されず、１つ、又は３つ以上であってもよい。
【００６０】
本実施形態では、上記前面グリル（1１）の桟（17）の形状が、上記グリル部（15）における円板（16）の周縁から径方向外方に向かって直線的に放射状に延びるような形状であったが、これに限定されず、湾曲しながら放射状に延びるような形状であってもよい。
【００６１】
この場合には、上記回転シャッター（12）の閉鎖板（20）も、上記風受板（23）を除いて平面視でこの桟（17）の形状と同一にする。
【００６２】
又、上記前面グリル（1１）の桟（17）の形状が格子状であってもよい。この場合には、シャッター（12）の閉鎖板（20）も平面視でこの桟（17）の形状と同一にするとともに、シャッター（12）を上記格子状の桟（17）が延びる縦方向又は横方向に沿ってスライドするように構成するとよい。こうすることで、上記シャッター（12）の閉鎖板で上記前面グリル（1１）の通風口（18）を開閉することができる。
【００６３】
なお、以上の実施形態は、本質的に好ましい例示であって、本発明、その適用物、あるいはその用途の範囲を制限することを意図するものではない。
【産業上の利用可能性】
【００６４】
以上説明したように、本発明は、空調機の室外ユニットについて有用である。
【図面の簡単な説明】
【００６５】
【図１】実施形態に係る室外ユニットの外形図である。
【図２】回転シャッターが開いた状態の回転シャッター式吹出グリルの正面図である。
【図３】回転シャッターが閉じた状態の回転シャッター式吹出グリルの正面図である。
【図４】回転シャッター式吹出グリルの縦断面図である。
【図５】回転シャッターの風受板に風が衝突したとき状態を示す図である。
【図６】回転シャッターの縦断面図である。
【符号の説明】
【００６６】
１      室外ユニット
２      ケーシング
３      吹出口
１０      回転シャッター式吹出グリル
１１      前面グリル
１２      回転シャッター （シャッター部材）
１５      グリル部
１７      桟
１８      通風口
１９      ボス部
２０      閉鎖板（閉鎖部材）
２１      軸受
２２      固定軸（軸部）
２３      風受板（突起部）
【図１】
2010085021.tif 000003
【図２】
2010085021.tif 000004
【図３】
2010085021.tif 000005
【図４】
2010085021.tif 000006
【図５】
2010085021.tif 000007
【図６】
2010085021.tif 000008